(57)【要約】【課題】  食物の収納やディスプレイを行う所謂ホテルパンと呼ばれる容器において、容易に重ねることが可能な容器を提供する。【解決手段】  底部１２と、この底部１２から延出する側壁２０と、この側壁２０から延出するフランジ部３０とを備えた容器１０であって、側壁２０は、底部１２に連続する第一の側壁１８と、この第一の側壁１８に連続する第二の側壁２６を備えてなり、第二の側壁２６は第一の側壁１８よりも膨出して形成されており、第二の側壁２６は、開口部側よりも底部側が膨出しており、底部側から開口部側へ向かうに従って容器内側へ向けて傾斜して形成されている。【選択図】    図１
2005239286.tif 000002
【特許請求の範囲】
【請求項１】
底部と、該底部から延出する側壁と、該側壁から延出するフランジ部と、を備えた容器であって、
前記側壁は、前記底部に連続する第一の側壁と、該第一の側壁に連続する第二の側壁を備えてなり、
前記第二の側壁は前記第一の側壁よりも膨出して形成されており、
前記第二の側壁は、開口部側よりも底部側が膨出しており、底部側から開口部側へ向かうに従って容器内側へ向けて傾斜して形成されたことを特徴とする容器。
【請求項２】
前記第二の側壁は断面略弓状に形成されたことを特徴とする請求項１記載の容器。
【請求項３】
前記フランジ部には凹溝が形成されたことを特徴とする請求項１記載の容器。
【請求項４】
前記凹溝は容器内側に向けて拡開する楔形に形成されたことを特徴とする請求項３記載の容器。
【請求項５】
前記凹溝は、容器内側が最も深く、外側が最も浅くなるように形成されたことを特徴とする請求項３記載の容器。
【請求項６】
前記凹溝は前記フランジ部を前記底部側に向けて凹ますことにより形成されたことを特徴とする請求項３記載の容器。
【請求項７】
前記容器は金属材料からなることを特徴とする請求項１記載の容器。
【請求項８】
前記金属材料はアルミニウム、ステンレス鋼、その他の金属から選択されることを特徴とする請求項７記載の容器。
【請求項９】
前記容器は金属材料をプレスして形成されたことを特徴とする請求項７または８記載の容器。
【請求項１０】
前記容器を重ねたとき、上方に位置する容器の前記第二の側壁が、下方に位置する容器の前記フランジ部に係合することを特徴とする請求項１記載の容器。
【請求項１１】
前記底部には容器内部に向けて膨出する膨出部が設けられたことを特徴とする請求項１記載の容器。
【請求項１２】
前記容器は四角形状であることを特徴とする請求項１記載の容器。
【発明の詳細な説明】
【技術分野】
【０００１】
本発明は容器に係り、特に、主に食品のための容器であって、重ねることが可能な容器に関する。
【背景技術】
【０００２】
従来から、食物の保存や調理、或いはバイキングでのディスプレイを行うときに、ホテルパンと呼ばれる調理用の容器が使用されている。
この容器は、一般に開口縁部にフランジ部を有する箱型をしており、ステンレス鋼等から形成されており、冷たい食物でも、温かい食物でも収納可能とされている。バイキング等で温かい食物を提供する際は、湯煎により容器自体を温めることにより、出来たての風味を落とさずに提供することが可能とされている。
【０００３】
この容器は、多くの場合プロに使用されるものであり、厨房には数多くの容器が所有されている。
保管時には、容器を積み重ねることにより場所をとらないように収納されるが、このとき、保管時の積み重ねによる埋まり込みを防止するために、容器の本体に段差加工が施されたものがあった（例えば、特許文献１乃至７参照）。
【特許文献１】米国特許第５６７６２７６号公報
【特許文献２】米国特許第５３７５７１９号公報
【特許文献３】米国特許第４８２８１１２号公報
【特許文献４】米国特許第６３４９８４３Ｂ１号公報
【特許文献５】米国特許第６５６８５３４Ｂ２号公報
【特許文献６】米国特許第６５５７７２０Ｂ２号公報
【特許文献７】米国特許第６４１５９４５Ｂ１号公報
【発明の開示】
【発明が解決しようとする課題】
【０００４】
上記各特許文献の技術によれば、容器本体に設けられた段差部により、容器を重ねたときに容器同士が深く嵌り合うことなく、必要に応じていつでも容器同士の重なり合いを解除して、一つ一つ容器をばらして使用することが可能となっている。
【０００５】
しかし、各特許文献に開示されている容器では、例えば特許文献２の図５に示すように、段差部がフラットであるため、上側の容器が下側の容器に斜めに嵌り込んでしまうことがあり、こうなると、上側の容器が傾いてしまうという不都合があった。
或いは、特許文献５の図２５に示すように、容器を重ねたときに、容器同士が密着してしまい、容器が取り外しにくくなるという不都合があった。
【０００６】
特に、調理用の容器には水分が付着していることがあるため、容器同士が密着してしまうと、後で外したいときに、外しにくくなるという不都合があった。
また、容器自体がすべり易いので、重ねるときに注意を払わないと容器同士が斜めに嵌り込んでしまい、一度容器が傾いて嵌合してしまうと、容器を積み重ねるにしたがって傾きが大きくなり、さらに容器を重ねるのが困難になるという問題があった。
【０００７】
本発明の目的は、食物の収納やディスプレイを行う所謂ホテルパンと呼ばれる容器において、容易に重ねることが可能な容器を提供することにある。
【課題を解決するための手段】
【０００８】
上記課題は、本発明によれば、底部と、該底部から延出する側壁と、該側壁から延出するフランジ部と、を備えた容器であって、前記側壁は、前記底部に連続する第一の側壁と、該第一の側壁に連続する第二の側壁を備えてなり、前記第二の側壁は前記第一の側壁よりも膨出して形成されており、前記第二の側壁は、開口部側よりも底部側が膨出しており、底部側から開口部側へ向かうに従って容器内側へ向けて傾斜して形成された、ことにより解決される。
【０００９】
本発明の容器は、容器を構成する第一の側壁と第二の側壁を備え、これら側壁のうち第二の側壁が膨出して形成されており、この第二の側壁は、開口部側よりも底部側が膨出しており、底部側から開口部側へ向かうに従って、容器内側へ向けて傾斜して形成されている。すなわち、前記第二の側壁は断面略弓状に形成されている。
【００１０】
このように構成されているので、容器を重ねるときに、断面略弓状の第二の側壁が、下側の容器に係合し、容器同士を密着させずに重ねることが可能となる。
また、容器を重ねたとき、上方に位置する容器の第二の側壁が、下方に位置する容器のフランジ部に好適に係合し、容器を適正な状態で重ねることが可能となる。そして、容器が傾くことなくまっすぐに重ねることができるので、多く重ねても倒れることがなく好適である。
【００１１】
また、第二の側壁は、基部側が最も膨出しているので、注意を払いながら重ねなくても、上側の容器が下側の容器に斜めに嵌まり込んだりすることがなく、常に安定して適正な状態で容器を重ねることが可能となる。
【００１２】
前記フランジ部には凹溝が形成されており、この凹溝を利用して、容器内の液体を別の容器等に注ぐことができるように構成されている。前記凹溝は前記フランジ部を前記底部側に向けて凹ますことにより形成されている。
また、凹溝は容器内側に向けて拡開する楔形に形成されており、容器に強度を持たせて、容器のゆがみやフランジ部の折れ曲がりを防止するように構成されている。
【００１３】
前記凹溝は、容器内側が最も深く、外側が最も浅くなるように形成されているので、液体の入った容器を万一傾けてしまった場合であっても、凹溝から液体がこぼれにくく、周囲に液体が漏れるのを防止することができる。
【００１４】
前記容器は金属材料から形成されており、例えば、アルミニウム、ステンレス鋼、その他の金属から形成されている。
前記容器は金属材料をプレスして形成されている。
【００１５】
前記底部には容器内部に向けて膨出する膨出部が設けられており、底部の強度が保たれている。
なお、前記容器は例えば四角形状に形成されている。
【発明の効果】
【００１６】
本発明の容器は、外側に向けて膨出する断面略弓状の第二の側壁を備えており、容器を重ねたとき、上方に位置する容器の第二の側壁が、下方に位置する容器のフランジ部に好適に係合する。これにより、特別な注意を払わずに積み重ねても、傾くことなくまっすぐに容器を重ねることが可能となる。
【００１７】
したがって、多忙な厨房で多くの容器を所有している場合であっても、常に容器を整頓しておくことが可能となる。容器を取り出すときも、容器が互いに嵌まり込まずに、適正に重ねられているので、重ねたところから、すぐに取り出すことが可能である。
【００１８】
また、容器のフランジ部には凹溝が設けられているので、容器内の液体を外部に注ぐことが可能である。さらに、凹溝を設けることにより、容器の強度が確保され好適である。
【発明を実施するための最良の形態】
【００１９】
以下、本発明の一実施の形態を図面に基づいて説明する。なお、以下に説明する部材，配置等は本発明を限定するものでなく、本発明の趣旨の範囲内で種々改変することができるものである。
【００２０】
図１乃至図７は、本発明の実施例に係るものであり、図１は容器の斜視図、図２は容器を上から見た図、図３は容器の側面図、図４は図３の要部拡大図、図５は図２のＡ−Ａ断面図、図６は図５のＢ−Ｂ視図、図７は容器を重ねた状態の断面図である。
【００２１】
本発明の一実施形態に係る容器１０は、所謂ホテルパン或いはスチームテーブルパン、或いはガストロノームパンと呼ばれる容器であり、図１に示すように、底部１２と、この底部１２から延出する側壁２０と、該側壁から延出するフランジ部３０と、を備えており、四角形の箱型に形成されている。
【００２２】
容器１０には食物が収納される。容器１０は、湯煎や氷水により、内部に収納した食物を温めたり冷やしたりできるように構成されている。
容器１０は、食物の保存や衛生面から金属製が好適である。金属としては、例えば、アルミニウム、ステンレス鋼が選択される。容器１０の表面は鏡面研磨されている。
【００２３】
容器１０は、金属板をプレス成形することにより形成される。
なお、金属に限らず、合成樹脂、陶器、ガラス、ホウロウ、漆器等、他の素材から形成しても良い。
【００２４】
容器１０の側壁２０は、底部１２から連続して立ち上がっている。底部１２と側壁２０との間は、丸みを帯びた角部１６となっている。
また、隣り合う側壁２０間に位置する角部も、丸みを帯びた角部２２となっている。
【００２５】
側壁は第一の側壁１８と、第二の側壁２６とから構成されている。第一の側壁１８は底部側から開口部側に向けて次第に拡開するように傾斜して形成されている。
これにより、開口部側よりも底部側のほうが面積が小さくなるので、容器１０を重ねるときに、上側の容器１０を下側の容器１０に入れ易くなり、好適である。
【００２６】
第二の側壁２６は、第一の側壁１８よりも膨出して形成されている。
この第二の側壁２６は、開口部側よりも底部１２側が膨出しており、底部１２側から開口部側へ向かうに従って、容器内側へ向けて傾斜して形成されている
第二の側壁２６は、丸みを帯びており、図４及び図５に示すように断面略弓状に形成され、底部１２側に丸みを帯びた稜線である外郭縁２４が形成されている。
【００２７】
第二の側壁２６に連続して、フランジ部３０が形成されている。フランジ部３０は容器の開口部から外側に略水平に延出して形成されている。
フランジ部３０の外周縁の外側にはさらに外折部３２が形成されており、フランジ部３０の強度が確保されるとともに、容器１０を持ったときに引っ掛かりを持たせて、より安定良く容器１０を持つことができるように構成されている。
【００２８】
フランジ部３０には凹溝３４が形成されている。凹溝３４は、フランジ部３０の四隅に形成されている。
凹溝３４が設けられていることにより、容器内の液体を外部に注ぐことが可能である。さらに、凹溝３４を設けることにより強度が確保され、容器１０のゆがみが防止される。さらに、フランジ部３０をぶつけたとき等において、フランジ部３０の折れ曲がりが防止される。容器１０の強度が確保されることにより、容器１０に食物等を入れたときに容器１０がゆがむことなく、特に容器１０に熱い食物を入れたときに食物の漏れが防止され好適である。
【００２９】
凹溝３４はフランジ部３０を底部１２側に向けて凹ますことにより形成されている。
凹溝３４は、図２及び図３に示すように、外形が略二等辺三角形をした楔形に形成されている。凹溝３４は、容器内部側からフランジ部３０の外周縁まで形成されている。
【００３０】
凹溝３４は、面３８と面４０を有している。面３８と面４０は、外端部側から徐々に傾斜しており、面３８と面４０の合わせ部４２にはテーパー角が形成されて谷状に形成されている。
【００３１】
凹溝３４は楔形であり、端部側が細くなるように形成されている。このような形状により、外側に行くに従って、変形しにくくなり、凹溝３４自体の強度も確保される。よって、衝撃等による湾曲が防止される。
【００３２】
図５は図２のＡ−Ａ断面図であり、図６は図５のＢ−Ｂ視図である。図示されているように、凹溝３４は、容器内側が最も深く、外側が最も浅くなるように形成されている。したがって、液体の入った容器１０を万一傾けてしまった場合であっても、凹溝３４から液体がこぼれにくく、周囲に液体が漏れるのを防止することができる。
【００３３】
また、容器内の液体を注ぐときには、凹溝３４から液体が一度に流出することなく、徐々に流出するので、流出量を調整しながら液体を注ぐことが可能となる。
【００３４】
また、凹溝３４は、指にフィットする形状とされているので、容器に食物等を補充するときに、凹溝３４に指を掛けることにより、食卓から容器を容易に手にとることが可能となる。さらに、凹溝３４が形成されていることにより、容器１０を重ねたときに、容器と容器の間に隙間が確保される。これにより、容器間に指を入り込ませ易く、容器１０を取るときに、容易に容器１０をつかむことが可能である。
【００３５】
容器１０の底部１２には、四角形の膨出部１３が形成されている。膨出部１３は周囲にテーパー部１４を備えており、底部１２から膨出している。
膨出部１３が形成されていることにより、底部１２の強度が向上される。
【００３６】
図７に、容器１０を重ねた状態を示す。本例の容器１０は、外側に向けて膨出する断面略弓状の第二の側壁２６を備えており、容器１０を重ねたとき、上方に位置する容器１０の第二の側壁２６の外郭縁２４が、下方に位置する容器１０のフランジ部３０に係合する。
【００３７】
このように、本例の容器１０は、断面略弓状に膨出する第二の側壁２６を備えているので、容器１０を重ねるときに、容器１０同士を密着させずに重ねることが可能である。
また、第二の側壁２６が断面略弓状に膨出しているので、上側の容器１０の第一の側壁１８が、下側の容器１０の側面に触れることがなく、容器同士の密着が防止される。
【００３８】
容器１０は収納時には洗浄されているため、水分が付着している場合がある。本例の容器１０では、重ねるときに容器同士が密着しないので、水分とともに容器が隙間なく嵌り合ってしまうことがなく、後で使うときに外しにくくなるという不都合を防止することができる。
【００３９】
また、第二の側壁２６は、開口部側よりも底部１２側が膨出しているので、上側の容器１０が下側の容器１０に斜めに入り込むことがなく、特別な注意を払わなくても、常にまっすぐに容器１０を重ねることができる。したがって、多段に容器１０を重ねることが可能である。
【００４０】
また、重ねたときに、容器間に隙間があり、特にフランジ部３０の四隅には凹溝３４が形成されて隙間が確保されているので、重ねた容器１０から一つを取り出すときにも、容器１０を下型の容器１０から取り外し、簡単に手に取ることが可能である。
【００４１】
なお、容器１０は、図１乃至図７に示す形状に限らず、その外形をより細長い四角形としたり、正方形とすることができる。また、四角形に限らず、円形や楕円形、多角形としても良い。容器の形状が異なっていても、基本的構成は同様とされ、重ね易く、取り出し易い構成とされる。
或いは、容器１０の深さをより深くしたり、逆に、より浅くしても良い。このように、容器１０は用途に応じて、種々の形状とすることが可能である。
また、容器１０には食物だけではなく、小物等、他の物品を収納しても良いことは勿論である。
【図面の簡単な説明】
【００４２】
【図１】本発明の実施例に係る容器の斜視図である。
【図２】容器を上から見た図である。
【図３】容器の側面図である。
【図４】図３の要部拡大図である。
【図５】図２のＡ−Ａ断面図である。
【図６】図５のＢ−Ｂ視図である。
【図７】容器を重ねた状態の断面図である。
【符号の説明】
【００４３】
１０  容器
１２  底部
１３  膨出部
１４  テーパー部
１６  角部
１８  第一の側壁
２０  側壁
２２  角部
２４  外郭縁
２６  第二の側壁
３０  フランジ部
３２  外折部
３４  凹溝
３８  面
４０  面
４２  合わせ部
【図１】
2005239286.tif 000003
【図２】
2005239286.tif 000004
【図３】
2005239286.tif 000005
【図４】
2005239286.tif 000006
【図５】
2005239286.tif 000007
【図６】
2005239286.tif 000008
【図７】
2005239286.tif 000009